(57)【要約】      （修正有）【課題】円形頭部付きボルト素材のねじ山における打痕等を除去できると共に、これと同時にボルト素材の頭部の芯ずれを検出して不良品の判別を行なう。【解決手段】ローラ転造ダイ４とローラ転造ダイ４の外周に対向状に配置される円弧状の固定転造ダイ５とを備えたねじ転造装置１の固定転造ダイ５側に、常時は円形頭部付きボルト素材Ａの頭部１外周にスプリング７を介して弾性的に当接し、ボルト素材Ａにおける軸部の中心に対する頭部の偏心具合により揺動する検査レバー８を揺動可能に設け、かつ、検査レバー８の揺動により頭部の軸部中心に対する偏心量を検出するセンサー９を設けて、このセンサー９による検出結果に基づいて良品と不良品との判別を行い、かつ、不良品については良品とは別に排除するための不良品排除通路１３を設けた。【選択図】図１
0003119877.tif 000002
【実用新案登録請求の範囲】
【請求項１】
ローラ転造ダイとローラ転造ダイの外周に対向状に配置される円弧状の固定転造ダイとを備え、これら両転造ダイ間を円形頭部付のボルト素材が回転移動する際に、ボルト素材の軸部外周にローリング転造でねじ山を形成又はねじ山を修正加工するねじ転造装置であって、固定転造ダイ側に、常時はボルト素材の頭部外周に弾性部材を介して弾性的に当接し、ボルト素材における軸部の中心に対する頭部の偏心具合により揺動する検査レバーを揺動可能に設け、かつ、検査レバーの揺動により頭部の軸部中心に対する偏心量を検出するセンサーを設けて、このセンサーによる検出結果に基づいて良品と不良品との判別を行い、かつ、不良品については良品とは別に排除するための不良品排除手段を備えていることを特徴とするねじ転造装置。
【考案の詳細な説明】
【技術分野】
【０００１】  本考案は、ローラ転造ダイとローラ転造ダイの外周に対向状に配置される円弧状の固定転造ダイとを備え、これら両転造ダイ間を円形頭部付のボルト素材が回転移動する際に、ボルト素材の軸部外周にローリング転造でねじ山を形成又はねじ山を修正加工するねじ転造装置に関する。
【背景技術】
【０００２】  従来、例えばねじ転造装置でねじ転造された円形頭部付のボルト素材は、主として後工程で熱処理、メッキ等が施される。その場合、熱処理やメッキ等の工程を通過する際にボルト素材のねじ山に打痕等の凹凸傷が発生する不具合があり、また、圧造成形機により円形頭部と軸部からなるボルト素体を圧造成形するときに、円形頭部と軸部との軸芯の同心度が得られず、図３に示すようにボルト素材Ａの頭部Ａ１が軸部Ａ２中心に対し芯ずれするといった問題があった。そこで、上記ボルト素材Ａのねじ山Ａ３における打痕等の凹凸傷については、たとえば再転造用のねじ転造装置でねじ山部分を再度ねじ転造して打痕をなくすようになされており、また、ボルト素材Ａの頭部Ａ１の軸部Ａ２中心に対する芯ずれについては、検査用の保持台などにボルト素材を１個ずつ保持したうえで頭部の芯ずれ具合を確認し、良品であるか不良品あるかの判断を行ない良品のみを箱詰めするようにしている。
【考案の開示】
【考案が解決しようとする課題】
【０００３】  しかし、上記した再転造用のねじ転造装置によれば、上記ボルト素材Ａのねじ山Ａ３における打痕等の凹凸傷を補修することができるれども、ボルト素材Ａの頭部Ａ１の上記芯ずれについては、わざわざ検査用の保持台などにボルト素材Ａを１個ずつ保持したうえで頭部Ａ１の芯ずれをゲージで確認し、良品であるか不良品あるかの判断を行う必要があることから、その作業が非常に煩雑で手間を要する問題があった。【０００４】  そこで、本考案は主として熱処理、メッキ等の工程を通過する際に発生した円形頭部付きのボルト素材のねじ山における打痕等を除去できる一方、これと同時にボルト素材の頭部の軸部中心に対する芯ずれを検出して不良品の判別を行なうことができるねじ転造装置の提供を課題とする。
【課題を解決するための手段】
【０００５】  上記した問題を解決するために、本考案は、ローラ転造ダイとローラ転造ダイの外周に対向状に配置される円弧状の固定転造ダイとを備え、これら両転造ダイ間を円形頭部付のボルト素材が回転移動する際に、ボルト素材の軸部外周にローリング転造でねじ山を形成又はねじ山を修正加工するねじ転造装置であって、固定転造ダイ側に、常時はボルト素材の頭部外周に弾性部材を介して弾性的に当接し、ボルト素材における軸部の中心に対する頭部の偏心具合により揺動する検査レバーを揺動可能に設け、かつ、検査レバーの揺動により頭部の軸部中心に対する偏心量を検出するセンサーを設けて、このセンサーによる検出結果に基づいて良品と不良品との判別を行い、かつ、不良品については良品とは別に排除するための不良品排除手段を備えていることを特徴とする。
【考案の効果】
【０００６】  本考案によるねじ転造装置によれば、熱処理、メッキ等の工程を通過する際に発生した円形頭部付きのボルト素材のねじ山における打痕等を除去することができながら、ねじ山における打痕等を除去処理と同時に、検査レバーの揺動による頭部の軸部中心に対する偏心量をセンサーにより検出して、このセンサーによる検出結果に基づいて良品と不良品との判別を行い、かつ、不良品については不良品排除手段により良品とは別の所に排除することができる。
【考案を実施するための最良の形態】
【０００７】  以下、本考案の実施の形態を図に基づいて説明する。
図１は本考案のねじ転造装置を示すもので、１はたとえば圧造成形機などで圧造成形された円形頭部Ａ１付きボルト素材Ａの軸部Ａ２外周にローリング転造でねじ山Ａ３を形成するねじ転造装置、２はボルト素材Ａをねじ転造装置１に順次移送するシュート、３はシュート２の先端開口部２ａを開閉してボルト素材Ａを１本ずつ下方に供給する開閉体３ａを備えた開閉供給機構、４はシュート２の先端開口部２ａ前方に配置され、モータなどの駆動手段（図示せず）により間歇的に又は連続的に回転されるローラ転造ダイ、５はローラ転造ダイ４の外周に対向状に配置される円弧状の固定転造ダイである。【０００８】  そして、固定転造ダイ５側の適宜支持部材６に、常時はボルト素材Ａの頭部Ａ１外周にスプリング７を介して弾性的に当接し、かつボルト素材Ａにおける軸部Ａ２の中心に対する頭部Ａ１の偏心具合により揺動する検査レバー８を揺動可能に設ける一方、検査レバー８の揺動により頭部Ａ１の軸部Ａ２中心に対する偏心量を検出するセンサー９を設けて、このセンサー９による検出結果に基づいて良品と不良品との判別を行い、かつ、不良品については良品とは別に排除するための不良品排除手段１０を備えている。【０００９】  また、不良品排除手段１０としては、転造終了側の下部に製品排出通路１１を設けると共に、製品排出通路１１の途中において良品排出通路１２と不良品排除通路１３とに分岐し、かつ、分岐部分にセンサー９による検出結果に基づいて良品排出通路１２と不良品排除通路１３のいずれかに切り替える切替ダンパー１４を設けている。【００１０】  また、検査レバー８には、センサー９により検出される検査用ねじ１５が微調整可能に取付けられ、実際には、この検査用ねじ１５の動きが検査レバー８の揺動量としてセンサー９により検出される。さらに、上記支持部材６における検査レバー８の枢支部近くには、検査レバー８の回転転造ダイ４側への移動を規制するストッパー１６が微調整可能に取付けられている。【００１１】  次に、圧造成形機により圧造成形された後、ねじ転造装置１により軸部Ａ２外周にねじ山Ａ３が形成された円形頭部Ａ２付きボルト素材Ａを熱処理及びメッキ等の工程を通過させ、その後、再度上記したねじ転造装置１により熱処理、メッキ等の工程を通過する際に発生したボルト素材Ａのねじ山Ａ３における打痕などを除去する場合の作用について説明する。【００１２】  先ず、図１に示すようにボルト素材Ａが、シュート２を介してその先端開口部２ａに連続的に移送される。その後、ローラー転造ダイ４が停止した状態のもとで開閉供給機構３の開閉体３１を後退させて先端開口部２ａを開き、先頭のボルト素材Ａを固定転造ダイ５とローラ転造ダイ４との間に供給する。その供給が完了するタイミングで開閉供給機構３の開閉体３１を閉鎖する。然る後、ローラ転造ダイ４を回転させ、ローラ転造ダイ４のねじ形成部と固定転造ダイ５のねじ形成部とによるローリング転造によりねじ山Ａ３における打痕等を除去することができる。【００１３】  その場合、ねじ山Ａ３における打痕等の除去処理と同時に、頭部Ａ１の軸部Ａ２中心に対する偏心量を検査レバー８の揺動具合によってセンサー９で検出し、このセンサー９による検出結果に基づいて良品と不良品との判別を行う。そして、検査レバー８の揺動量が小さくセンサー９からの検出信号で良品と判定した場合には、切り替えダンパー１４を切り替え駆動して不良品排除通路１３を閉じ良品排出通路１２を開くように切り替え、また、検査レバー８の揺動量が大きくセンサー９からの検出信号で不良品と判定した場合には、切り替えダンパー１４により良品排出通路１２を閉じ不良品排除通路１３を開くように切り替えられる。これにより、再転造が終了してボルト部品Ａが良品と判定された場合には良品排出通路１２へ排出されて箱詰めされ、ボルト部品Ａが不良品と判定された場合には良品排出通路１２を不良品排除通路１３に切り替えて不良品を良品とは別の場所に排除することになる。【００１４】  以上のように、本考案によるねじ転造装置１によれば、熱処理、メッキ等の工程を通過する際に発生したボルト素材Ａのねじ山Ａ３における打痕等を除去することができながら、この打痕等の除去処理と同時に、検査レバー８の揺動による頭部Ａ１の軸部Ａ２中心に対する偏心量をセンサー９により検出して、このセンサー９による検出結果に基づいて良品と不良品との判別を行い、かつ、不良品については不良品排除通路１３により良品とは別の所に排除することができる。【００１５】  以上の説明では、熱処理、メッキ等の工程を通過する際に発生した円形頭部Ａ２付きボルト素材Ａのねじ山Ａ３における打痕などを除去するため、再度転造するためのねじ転造装置について説明したけれども、この他圧造成形機により圧造成形された後、ねじ転造装置１により軸部Ａ２外周にねじ山Ａ３を形成する場合に、検査レバー８の揺動による頭部Ａ１の軸部Ａ２中心に対する偏心量をセンサー９により検出して、このセンサー９による検出結果に基づいて良品と不良品との判別を行い、かつ、不良品については不良品排除通路１３により良品とは別の所に排除するように構成してもよいことは勿論である。
【図面の簡単な説明】
【００１６】
【図１】  本考案に係るねじ転造装置の正面図である。
【図２】  同ねじ転造装置の要部の拡大正面図である。
【図３】  円形頭付きボルト素材の正面図である。
【符号の説明】
【００１７】  １          ねじ転造装置
４          ローラ転造ダイ
５          固定転造ダイ
７          スプリング
８          検出レバー
９          センサー
１３        不良品排除通路
Ａ          ボルト素材
Ａ１        頭部
Ａ２        軸部
Ａ３        ねじ山
【図１】
0003119877.tif 000003
【図２】
0003119877.tif 000004
【図３】
0003119877.tif 000005